(57)【要約】【課題】所望の部品のメンテナンス時期を短時間で確認できる作業機械の表示装置の提供。【解決手段】記憶部３ａが、メンテナンスを要する全部品をメンテナンス時期に関連させて記憶する全部品記憶部３ａ１と、メンテナンスを要する全部品のうちの特定部品だけをメンテナンス時期に関連させて選択的に記憶する選択部品記憶部３ａ２と、メンテナンスを要する全部品のうちの特定の機能に関連する複数の特定部品だけをメンテナンス時期に関連させて選択的に記憶するグループ選択部品記憶部３ａ３とを含み、選択部品記憶部３ａ２、あるいはグループ選択部品記憶部３ａ３に記憶された選択部品、あるいはグループ選択部品のみを表示部１に表示させる処理を行なう表示処理部３ｄを備えた。【選択図】図１
2005163378.tif 000002
【特許請求の範囲】
【請求項１】
記憶部に記憶された部品の中でメンテナンス時期に到来した部品を表示部に表示させるようにした作業機械の表示装置において、
上記記憶部が、メンテナンスを要する全部品のうちの特定部品だけをメンテナンス時期に関連させて選択的に記憶する選択部品記憶部を含むと共に、
この選択部品記憶部に記憶された選択部品のみを上記表示部に表示させる処理を行なう表示処理部を備えたことを特徴とする作業機械の表示装置。
【請求項２】
記憶部に記憶された部品の中でメンテナンス時期に到来した部品を表示部に表示させるようにした作業機械の表示装置において、
上記記憶部が、メンテナンスを要する全部品のうちの特定の機能に関連する複数の特定部品だけをメンテナンス時期に関連させてグループ選択部品として選択的に記憶するグループ選択部品記憶部を含むと共に、
このグループ選択部品記憶部に記憶されたグループ選択部品のみを上記表示部に表示させる処理を行なう表示処理部を備えたことを特徴とする作業機械の表示装置。
【請求項３】
上記請求項２記載の発明において、
上記グループ選択部品が、走行関係部品、旋回関係部品、及び掘削関係部品のいずれかであると共に、
上記グループ選択部品記憶部が、上記走行関係部品を記憶する走行関係記憶部、上記旋回関係部品を記憶する旋回関係記憶部、及び上記掘削関係部品を記憶する掘削関係記憶部のいずれかであることを特徴とする作業機械の表示装置。
【請求項４】
上記請求項１〜４のいずれか１項記載の発明において、
上記部品を上記記憶部に記憶させる処理を行なう登録処理部を備えたことを特徴とする作業機械の表示装置。
【請求項５】
上記請求項１〜４のいずれか１項記載の発明において、
上記記憶部に記憶された部品の追加処理または削除処理を行なう追加・削除処理部を備えたことを特徴とする作業機械の表示装置。
【請求項６】
上記請求項１〜４のいずれか１項記載の発明において、
上記記憶部は、上記部品を表示の優先順位を付して記憶することを特徴とする作業機械の表示装置。
【発明の詳細な説明】
【技術分野】
【０００１】
本発明は、油圧ショベル等の作業機械に備えられ、メンテナンス時期が到来した部品を表示する処理を行なう表示部を有する作業機械の表示装置に関する。
【背景技術】
【０００２】
この種の技術として従来、記憶部に記憶された部品の中でメンテナンス時期が到来した部品の全部を表示部に表示するようにした作業機械の表示装置が提案されている（例えば、特許文献１参照）。
【特許文献１】特開２００２−３２７４６７公報
【発明の開示】
【発明が解決しようとする課題】
【０００３】
上述の従来技術では、メンテナンス時期が到来した部品の全部が表示部に表示されるようになっているが、場合によっては、最低限必要な部品についてメンテナンス時期の管理を行なえばよいことがある。例えば、ほとんどの作業が掘削作業であるような場合には、掘削作業に関連する部品については当該部品の耐用時間に対する残存時間または超過時間であるインターバルが短くなっているかどうかの確認が必要不可欠であるが、走行関連部品、旋回関連部品についてはインターバルの確認、すなわちメンテナンス時期の確認を要することが少なく、通常実施されている定期検査程度の確認で済むことが多い。
【０００４】
このような状況では、上述した従来技術におけるように、メンテナンス時期が到来した部品の全てが表示部に表示されていると、所望の部品のメンテナンス時期の確認に時間がかかって、このメンテナンス時期の確認作業を迅速に行なえなくなる問題がある。
【０００５】
本発明は、上述した従来技術における実状からなされたもので、その目的は、所望の部品のメンテナンス時期を短時間で確認できる作業機械の表示装置を提供することにある。
【課題を解決するための手段】
【０００６】
上記目的を達成するために、本発明は、記憶部に記憶された部品の中でメンテナンス時期に到来した部品を表示部に表示させるようにした作業機械の表示装置において、上記記憶部が、メンテナンスを要する全部品のうちの特定部品だけをメンテナンス時期に関連させて選択的に記憶する選択部品記憶部を含むと共に、この選択部品記憶部に記憶された選択部品のみを上記表示部に表示させる表示処理部を備えたことを特徴としている。
【０００７】
このように構成した本発明は、メンテナンスを要する全部品のうちの特定部品だけを、すなわち作業に関連してメンテナンス時期の管理が最低限必要と思われる所望の部品だけを予め選択部品記憶部に記憶させておく。そして適宜、表示処理部による処理により選択部品記憶部に記憶されている選択部品だけを表示部に表示させることが行なわれる。したがって、メンテナンス時期の管理を要せずに定期検査程度で済む部品は、表示部に表示されることがなく、所望の部品のメンテナンス時期の確認を短時間で行なうことができる。
【０００８】
また上記目的を達成するために、本発明は、記憶部に記憶された部品の中でメンテナンス時期に到来した部品を表示部に表示させるようにした作業機械の表示装置において、上記記憶部が、メンテナンスを要する全部品のうちの特定の機能に関連する複数の特定部品だけをメンテナンス時期に関連させてグループ選択部品として選択的に記憶するグループ選択部品記憶部を含むと共に、このグループ選択部品記憶部に記憶されたグループ選択部品のみを上記表示部に表示させる処理を行なう表示処理部を備えたことを特徴としている。
【０００９】
このように構成した本発明も、メンテナンスを要する全部品のうちの走行機能、旋回機能、掘削機能等の特定の機能に関連する複数の特定部品だけを、すなわち作業に関連してメンテナンス時期の管理が最低限必要と思われる複数の所望の部品だけを予めグループ選択部品記憶部に記憶させておく。そして適宜、表示処理部による処理によりグループ選択部品記憶部に記憶されているグループ選択部品だけを表示部に表示させることが行なわれる。したがって、メンテナンス時期の管理を要しないで定期検査程度で済む部品は、表示部に表示されることがなく、所望のグループ選択部品のメンテナンス時期の確認を短時間で行なうことができる。
【００１０】
また本発明は、上記発明において、上記グループ選択部品が、走行関係部品、旋回関係部品、及び掘削関係部品のいずれかであると共に、上記グループ選択部品記憶部が、上記走行関係部品を記憶する走行関係記憶部、上記旋回関係部品を記憶する旋回関係記憶部、及び上記掘削関係部品を記憶する掘削関係記憶部のいずれかであることを特徴としている。
【００１１】
また本発明は、上記発明において、上記部品を上記記憶部に記憶させる処理を行なう登録処理部を備えたことを特徴としている。
【００１２】
また本発明は、上記発明において、上記記憶部に記憶された部品の追加処理または削除処理を行なう追加・削除処理部を備えたことを特徴としている。
【００１３】
また本発明は、上記発明において、上記記憶部は、上記部品を表示の優先順位を付して記憶することを特徴としている。
【発明の効果】
【００１４】
本発明は、所望の部品のメンテナンス時期を短時間で確認でき、これにより、このメンテナンス時期の確認作業を迅速に行なうことができ、当該作業機械の操作性、作業性、及び耐久性の劣化防止に貢献する。
【発明を実施するための最良の形態】
【００１５】
以下，本発明に係る作業機械の表示装置を実施するための最良の形態を図に基づいて説明する。
【００１６】
図１は本発明に係る作業機械の表示装置の一実施形態の基本構成を示す図、図２は本実施形態に備えられる演算部の構成を示すブロック図、図３は図２に示す演算部に備えられる記憶部に含まれる全部品記憶部の記憶内容を示す図、図４は図２に示す演算部に備えられる記憶部に含まれる選択部品記憶部の記憶内容を示す図、図５は図２に示す演算部に備えられる記憶部に含まれるグループ選択部品記憶部のうちの走行関係記憶部の記憶内容を示す図、図６は本実施形態に備えられる表示部に表示される初期画面を示す図である。
【００１７】
図１に示すように、本実施形態は、作業機械例えば油圧ショベルの運転室内に配置され、表示部１と、釦操作部２と、演算部３とを備えている。
【００１８】
演算部３は、図２に示すように、後述の記憶部３ａと、当該油圧ショベルの稼動時間を測定する稼動時間計時部３ｂと、各部品の耐用時間に対する残存時間あるいは超過時間であるインターバルを演算するインターバル演算手段３ｃと、該当する部品を表示部１に表示させる処理を行なう表示処理部３ｄと、記憶部３ａに記憶させた部品の追加処理または削除処理を行なう追加・削除処理部３ｅと、部品を記憶部３ａに記憶させる処理を行なう登録処理部３ｆとを備えている。
【００１９】
上述した記憶部３ａは、当該油圧ショベルのメンテナンスを要する全ての部品をメンテナンス時期に関連させて記憶する全部品記憶部３ａ１と、メンテナンスを要する全部品のうちの特定部品だけをメンテナンス時期に関連させて選択的に記憶する選択部品記憶部３ａ２と、メンテナンスを要する全部品のうちの特定の機能に関連する複数の特定部品だけをメンテナンス時期に関連させて選択的に記憶するグループ選択部品記憶部３ａ３とを含んでいる。
【００２０】
このうち特に、グループ選択部品記憶部３ａ３は、走行機能に関連する部品を記憶する走行関係記憶部３ａ３１と、旋回機能に関連する部品を記憶する旋回関係記憶部３ａ３２と、掘削機能に関連する部品を記憶する掘削関係記憶部３ａ３３と、上述の登録処理部３ｆで処理された新規グループ部品を記憶する新規グループ記憶部３ａ３４とを含んでいる。
【００２１】
例えば、上述の全部品記憶部３ａ１には、図３に示すように、表示の優先順位が予め設定された部品それぞれと、メンテナンス時期とが関連して記憶されている。優先順位１位のフロントピン給脂は、耐用時間が５００ｈｒ（時間）であるにも拘わらず、現在は１０時間耐用時間を超過している状態にあることが記憶されている。また、優先順位３位のエンジンオイルは、耐用時間が５００ｈｒであるが、残りの時間は５時間しかないことが記憶されている。したがって、これらのものはメンテナンス時期が到来していると考えられる部品である。他の部品についても同様に、表示の優先順位と共に、メンテナンス時期の項に、耐用時間と残存時間が記憶されている。
【００２２】
また、上述の選択部品記憶部３ａ２には、図４に示すように、例えば４つの選択部品である「フロント給脂」「足回りピン給脂」「エンジンオイル」「エンジンオイルフィルタ」が、それぞれ表示の優先順位と共に記憶されている。また、それぞれの部品に対応させて、メンテナンス時期の項に、耐用時間と、残存時間あるいは超過時間が記憶されている。
【００２３】
また、上述のグループ選択部品記憶部３ａ３には、例えば走行関係記憶部３ａ３１として、図５に示すように、４つのグループ選択部品である「足回りピン給脂」「エンジンオイル」「エンジンオイルフィルタ」「ラジエタ水」が、それぞれ表示の優先順位と共に記憶されている。また、それぞれの部品に対応させて、メンテナンス時期の項に、耐用時間と残存時間あるいは超過時間が記憶されている。
【００２４】
図３〜５に示すメンテナンス時期を決める残存時間、超過時間は、稼動時間計時部３ｂで計時される当該油圧ショベルの累積稼動時間と、各部品の耐用時間とから、例えば５時間毎にインターバル演算手段３ｃで演算される。演算結果は直ちに各記憶部３ａ１〜３ａ３内の「メンテナンス時期」の項の残存時間、超過時間として書き換えられるようになっている。
【００２５】
上述した釦操作部２は、例えば図６に示すように、表示部１の画面上のカーソルを上方向に移動させる上釦２ａ、下方向に移動させる下釦２ｂ、右方向に移動させる右釦２ｃ、左方向に移動させる左釦２ｄと、表示部１を図６に示す初期画面とする操作、及び表示部１に表示された画面の項目を確定させる決定釦２ｅと、メンテナンス時期を表示させる処理の指令操作をするメンテナンス釦２ｆとを含んでいる。
【００２６】
このように構成した本実施形態は、表示部１上の画面には図示しないが、通常は例えば「アワメータ」「燃料残量」「水温」等の作業に関連する情報マーク等が表示されている。
【００２７】
このような状態において、決定釦２ｅを押すと、表示処理部３ｄの処理により図６に示す初期画面が表示部１に表示される。初期画面には、例えば「全ての部品」「部品選択」「グループ選択」の各管理項目が表示されるようになっている。ここで例えば、カーソルを「全ての部品」に合わせて選定した状態で、決定釦２ｅを押すと、表示処理部３ｄの処理により例えば図７に示すように、全部品記憶部３ａ１に記憶されている全ての部品が表示される。この状態において、メンテナンス釦２ｆを押すと、図示しないが、表示処理部３ｄの処理により全部品記憶部３ａ１の記憶内容、すなわち図３に示す内容が表示部１に表示される。したがって、油圧ショベルのメンテナンスが必要な全部品についてメンテナンス時期を把握することができる。
【００２８】
また、図６に示す初期画面において、カーソルを「部品選択」に合わせて選定した状態で決定釦２ｅを押すと、表示処理部３ｄの処理により図８に示すように「部品選択画面」が表示部１に表示される。この表示部１に表示される部品は、全部品記憶部３ａ１に記憶されている部品、すなわち図３に示す全部品である。図８に示す部品以外の部品は次画面以降に順次表示されるようになっている。ここで例えば図８に示す画面において、カーソルを「フロントピン給脂」「足回りピン給脂」「エンジンオイル」「エンジンオイルフィルタ」に合わせてこれらを選定し、さらに画面上の「決定」を選定した状態で決定釦２ｅを押すと、登録処理部３ｆの処理により、選択部品記憶部３ａ２に、該当する選択部品が記憶される。前述の図４は、このようにして記憶された記憶内容である。
【００２９】
また例えば、図６に示す初期画面においてカーソルを「部品選択」に合わせて選定した状態において、メンテナンス釦２ｆを押すと、表示処理部３ｄの処理により図９に示すように、選択部品記憶部３ａ２に記憶されている選択部品のメンテナンス時期が表示される。
【００３０】
図９では、「フロントピン給脂」が耐用時間を既に１０時間超過し、「足回りピン給脂」が耐用時間を５時間超過し、「エンジンオイル」が耐用時間まであと残り５時間しかなく、また「エンジンオイルフィルタ」も耐用時間まで残り１０時間しかないことが確認される。すなわち、これらの４つの選択部品の全てがメンテナンス時期に至っていることが確認される。
【００３１】
上述した図６に示す初期画面においてカーソルを「グループ選択」に合わせて選定した状態で、決定釦２ｅを押すと、表示処理部の処理により図１０に示すように、例えば「走行頻度の多い機械」「旋回頻度の多い機械」「掘削頻度の多い機械」の３つが表示される。ここで仮に、当該油圧ショベルが走行頻度の多い機械であり、カーソルを「走行頻度の多い機械」に合わせて選定し、決定釦２ｅを押すと、表示処理部３ｄの処理によって表示部１に図１１に示すように、「走行の多い機械」に関連する部品が表示される。
【００３２】
ここで例えばカーソルを「足回りピン給脂」「エンジンオイル」「エンジンオイルフィルタ」「ラジエタ水」に合わせて選定し、さらに画面上の「決定」を選定した状態で決定釦２ｅを押すと、登録処理部３ｆの処理により、全部品記憶部３ａ１に記憶される部品のうちの該当するグループ選択部品が読み出され、グループ選択部品記憶部３ａ３の走行関係記憶部３ａ３１に、これらのグループ選択部品が記憶される。前述の図５は、このようにして記憶された記憶内容を示している。
【００３３】
また例えば、図１０に示すように表示部１にグループ選択画面を表示させ、カーソルを「走行頻度の多い機械」に合わせて選定した状態において、メンテナンス釦２ｆを押すと、図示しないが表示処理部３ｄの処理により、走行関係記憶部３ａ３１の記憶内容、すなわち図５に示す内容が表示部１に表示される。したがって、その表示部１の画面を見て走行に関連する部品のメンテナンス時期を把握することができる。
【００３４】
また、図１１に示すように、表示部１に「走行の多い機械」の画面を表示させた状態において、「編集」にカーソルを合わせて選定し、さらに決定釦２ｅを押すと、表示処理部３ｄの処理により、表示部１に図１２に示すように「走行の多い機械項目追加／削除」が表示される。例えば、この図１２に示す画面において「ラジエタ水」にカーソルを合わせて削除し、画面上の「決定」にカーソルを合わせて選定し、決定釦２ｅを押すと、追加・削除処理部３ｅの処理により、走行関係記憶部３ａ３１に記憶されている部品のうちの「ラジエタ水」の項が削除される。
【００３５】
また例えば、図１２に示す画面において「燃料フィルタ」にカーソルを合わせて選定し、画面上の「決定」にカーソルを合わせて選定し、決定釦２ｅを押すと、追加・削除処理部３ｅの処理により走行関係記憶部３ａ３１に新たに「燃料フィルタ」の部品の項が追加される。
【００３６】
さらに例えば、図６に示すように、初期画面が表示部１に表示されている状態において、「グループ選択」にカーソルを合わせて選定し、例えば上釦２ａを押し、次に決定釦２ｅを押すと、表示部１に図１３に示すように「新規グループ登録」の項が表示される。ここで所望の部品にカーソルを合わせて選定し、画面上の「ＧｒｏｕｐＡとして登録」にカーソルを合わせて選定し、決定釦２ｅを押すと、登録処理部３ｆの処理により、全部品記憶部３ａ１に記憶されている部品のうちの該当する部品が読み出され、新規グループ記憶部３ａ３４に「ＧｒｏｕｐＡ」という名前で登録される。
【００３７】
以上のように構成した本実施形態によれば、メンテナンス時期を確認したい全部品を表示部１に表示させることができると共に、所望の選択部品のみを、あるいは所望のグループ選択部品のみを表示部１に表示させることができる。したがって、当該油圧ショベルで頻繁に実施される作業の種類等に応じて、所望の選択部品のみを、あるいは所望のグループ選択部品のみを表示部１に表示させ、それらの所望の部品のメンテナンス時期を表示部１の画面によって短時間で確認することができる。したがって、このメンテナンス時期の確認作業を迅速に行なうことができ、当該油圧ショベルの操作性、作業性、及び耐久性の劣化防止に貢献する。
【図面の簡単な説明】
【００３８】
【図１】本発明に係る作業機械の表示装置の一実施形態の基本構成を示す図である。
【図２】本実施形態に備えられる演算部の構成を示すブロック図である。
【図３】図２に示す演算部に備えられる記憶部に含まれる全部品記憶部の記憶内容を示す図である。
【図４】図２に示す演算部に備えられる記憶部に含まれる選択部品記憶部の記憶内容を示す図である。
【図５】図２に示す演算部に備えられる記憶部に含まれるグループ選択部品記憶部のうちの走行関係記憶部の記憶内容を示す図である。
【図６】本実施形態に備えられる表示部に表示される初期画面を示す図である。
【図７】本実施形態に備えられる表示部に表示される全部品画面を示す図である。
【図８】本実施形態に備えられる表示部に表示される部品選択画面を示す図である。
【図９】本実施形態に含まれる表示部に表示されるメンテナンス時期画面を示す図である。
【図１０】本実施形態に備えられる表示部に表示されるグループ選択画面を示す図である。
【図１１】本実施形態に備えられる表示部に表示される走行関係部品画面を示す図である。
【図１２】本実施形態に備えられる表示部に表示される走行関係部品の追加・削除画面を示す図である。
【図１３】本実施形態に備えられる表示部に表示される新規グループ登録画面を示す図である。
【符号の説明】
【００３９】
１    表示部
２    釦操作部
２ａ  上釦
２ｂ  下釦
２ｃ  右釦
２ｄ  左釦
２ｅ  決定釦
２ｆ  メンテナンス釦
３    演算部
３ａ  記憶部
３ａ１  全部品記憶部
３ａ２  選択部品記憶部
３ａ３  グループ選択部品記憶部
３ａ３１  走行関係記憶部
３ａ３２  旋回関係記憶部
３ａ３３  掘削関係記憶部
３ａ３４  新規グループ記憶部
３ｂ  稼動時間計時部
３ｃ  インターバル演算手段
３ｄ  表示処理部
３ｅ  追加・削除処理部
３ｆ  登録処理部
【図１】
2005163378.tif 000003
【図２】
2005163378.tif 000004
【図３】
2005163378.tif 000005
【図４】
2005163378.tif 000006
【図５】
2005163378.tif 000007
【図６】
2005163378.tif 000008
【図７】
2005163378.tif 000009
【図８】
2005163378.tif 000010
【図９】
2005163378.tif 000011
【図１０】
2005163378.tif 000012
【図１１】
2005163378.tif 000013
【図１２】
2005163378.tif 000014
【図１３】
2005163378.tif 000015